(57)【要約】【課題】複数の画像を表示画像内に同時に表示する際に、表示画像の有効利用を図る。【解決手段】表示制御装置１００は、通信部１０４と決定部１０８Ａとを含む。通信部１０４は、第１画像を示す第１画像データと、第２画像を示す第２画像データと、を受信する。決定部１０８Ａは、第１画像の縦画素数および横画素数と、第２画像の縦画素数および横画素数と、に基づいて、所定の大きさの表示画像内で、第１画像と第２画像とを横方向に並べて表示するか縦方向に並べて表示するかを決定する。【選択図】図１
2017151183.tif 000002
【特許請求の範囲】
【請求項１】
第１画像を示す第１画像データと、第２画像を示す第２画像データと、を受信する受信部と、
前記第１画像の縦画素数および横画素数と、前記第２画像の縦画素数および横画素数と、に基づいて、所定の大きさの表示画像内で、前記第１画像と前記第２画像とを横方向に並べて表示するか縦方向に並べて表示するかを決定する決定部と、
を含むことを特徴とする表示制御装置。
【請求項２】
前記決定部の決定結果に基づいて前記表示画像を示す表示画像データを生成する生成部をさらに含む、
ことを特徴とする請求項１に記載の表示制御装置。
【請求項３】
前記生成部は、前記第１画像と前記第２画像とを前記決定部の決定結果に従って並べることによって形成される画像が前記表示画像の上下左右の外縁に接しつつ前記第１画像と前記第２画像とが接するように、前記第１画像と前記第２画像との少なくとも一方の大きさを変更して前記表示画像データを生成する、
ことを特徴とする請求項２に記載の表示制御装置。
【請求項４】
前記決定部は、前記第１画像と前記第２画像とを横に並べた横並び画像における最大縦画素数と最大横画素数との比である第１の比と、前記第１画像と前記第２画像とを縦に並べた縦並び画像における最大縦画素数と最大横画素数との比である第２の比と、前記表示画像における縦画素数と横画素数との比である第３の比と、に基づいて、前記第１画像と前記第２画像とを横方向に並べて表示するか縦方向に並べて表示するかを決定する、
ことを特徴とする請求項１から３のいずれか１項に記載の表示制御装置。
【請求項５】
前記決定部は、
前記第１の比と前記第３の比との差が、前記第２の比と前記第３の比との差よりも小さい場合、前記第１画像と前記第２画像とを横方向に並べて表示することを決定し、
前記第２の比と前記第３の比との差が、前記第１の比と前記第３の比との差よりも小さい場合、前記第１画像と前記第２画像とを縦方向に並べて表示することを決定する、
ことを特徴とする請求項４に記載の表示制御装置。
【請求項６】
前記表示画像は横長である、
ことを特徴とする請求項１から５のいずれか１項に記載の表示制御装置。
【請求項７】
前記第１画像は横長であり、前記第２画像は縦長である、
ことを特徴とする請求項１から６のいずれか１項に記載の表示制御装置。
【請求項８】
請求項１から７のいずれか１項に記載の表示制御装置を含む表示装置。
【請求項９】
表示制御装置が行う表示制御方法であって、
第１画像を示す第１画像データと、第２画像を示す第２画像データと、を受信し、
前記第１画像の縦画素数および横画素数と、前記第２画像の縦画素数および横画素数と、に基づいて、所定の大きさの表示画像内で前記第１画像と前記第２画像とを横方向に並べて表示するか縦方向に並べて表示するかを決定する、
ことを特徴とする表示制御方法。
【発明の詳細な説明】
【技術分野】
【０００１】
本発明は、表示制御装置、表示装置および表示制御方法に関する。
【背景技術】
【０００２】
ＰＣ（パーソナルコンピューター）等の各画像出力装置から出力された画像データに対応する画像を投射面に同時に並べて表示するプロジェクターが知られている。例えば特許文献１には、ＰＣ１１〜１４の各々がプロジェクターに対して画像データを送信し、プロジェクターが、ＰＣ１１〜１４から受信した４つの画像データによって表される４つの画像を同時に表示するシステムが開示されている。
このようなプロジェクターは、表示画像内に、形状および大きさの等しい複数の分割領域を予め決められた位置関係で設定し、各分割領域に１つの画像を表示することで複数の画像を同時に表示する。
【先行技術文献】
【特許文献】
【０００３】
【特許文献１】特開２０１３−１１３９３６号公報
【発明の概要】
【発明が解決しようとする課題】
【０００４】
上述したプロジェクターでは、表示予定の複数の画像の形状および大きさに関わらず、分割領域の形状および大きさと分割領域の表示画像内での位置関係とが予め決まっている。
例えば特許文献１に記載のプロジェクターは、２つ画像を同時に表示する状況では、特許文献１の図６（ｂ）に示されたように、表示画像内に２つの横長の分割領域を横並びで設定する。よって、表示予定の２つの画像は、その形状および大きさに関わらず、常に横並びとなる。
このため、特許文献１に記載のプロジェクターは、表示画像内で２つの画像を縦に並べた方が横に並べた場合よりも表示画像内で２つの画像のいずれも表示していない領域を小さくできる場合でも、２つの画像を横に並べてしまう。表示画像内で２つの画像のいずれも表示していない領域（以下「未表示領域」とも称する）は、例えば黒色で表示されることがあり、この未表示領域を小さくすることが、表示画像の有効利用につながる。
【０００５】
本発明は上述した事情に鑑みてなされたものであり、複数の画像を表示画像内に同時に表示する際に、表示画像の有効利用を図ることを解決課題とする。
【課題を解決するための手段】
【０００６】
本発明の表示制御装置の一態様は、第１画像を示す第１画像データと、第２画像を示す第２画像データと、を受信する受信部と、前記第１画像の縦画素数および横画素数と、前記第２画像の縦画素数および横画素数と、に基づいて、所定の大きさの表示画像内で、前記第１画像と前記第２画像とを横方向に並べて表示するか縦方向に並べて表示するかを決定する決定部と、を含むことを特徴とする。
第１画像の形状および大きさは第１画像の縦画素数および横画素数にて特定され、第２画像の形状および大きさは第２画像の縦画素数および横画素数にて特定される。このため、本態様によれば、第１画像の形状および大きさと第２画像の形状および大きさとに基づいて、表示画像内での第１画像と第２画像との並び方向を縦方向と横方向との間で変更可能になる。よって、例えば、表示画像に第１画像と第２画像とを横方向に並べた場合の方が縦方向に並べた場合よりも未表示領域を小さくできる場合には、横方向に並べることを決定でき、縦方向に並べた場合の方が横方向に並べた場合よりも未表示領域を小さくできる場合には、縦方向に並べることを決定できる。したがって、第１画像および第２画像の形状および大きさに関わらず第１画像と第２画像の並び方向が変わらない場合に比べて、表示画像の有効利用を図ることが可能となる。
【０００７】
上述した表示制御装置の一態様において、前記決定部の決定結果に基づいて前記表示画像を示す表示画像データを生成する生成部をさらに含むことが望ましい。
この態様によれば、決定部の決定結果は、表示画像を有効利用できる第１画像と第２画像との並びを示すので、この決定結果に基づいて表示画像を生成することで、表示画像の有効利用を図ることが可能になる。
【０００８】
上述した表示制御装置の一態様において、前記生成部は、前記第１画像と前記第２画像とを前記決定部の決定結果に従って並べることによって形成される画像が前記表示画像の上下左右の外縁に接しつつ前記第１画像と前記第２画像とが接するように、前記第１画像と前記第２画像との少なくとも一方の大きさを変更して前記表示画像データを生成することが望ましい。
この態様によれば、第１画像および第２画像を並べることで形成される画像が表示画像の上下左右の外縁に接しつつ第１画像と第２画像が接するように第１画像と第２画像の少なくとも一方が拡大されるので、拡大により画像の視認性を高めつつ、未表示領域を少なくできる。
【０００９】
上述した表示制御装置の一態様において、前記決定部は、前記第１画像と前記第２画像とを横に並べた横並び画像における最大縦画素数と最大横画素数との比である第１の比と、前記第１画像と前記第２画像とを縦に並べた縦並び画像における最大縦画素数と最大横画素数との比である第２の比と、前記表示画像における縦画素数と横画素数との比である第３の比と、に基づいて、前記第１画像と前記第２画像とを横方向に並べて表示するか縦方向に並べて表示するかを決定することが望ましい。
この態様によれば、第１の比は、横並び画像が収まる矩形の画像の形状を示し、第２の比は、縦並び画像が収まる矩形の画像の形状を示し、第３の比は表示画像の形状を示す。このため、横並び画像が収まる矩形の画像の形状と、縦並び画像が収まる矩形の画像の形状と、表示画像と形状とに基づいて、第１画像と第２画像とを横方向に並べて表示するか縦方向に並べて表示するかを決定可能になる。
【００１０】
上述した表示制御装置の一態様において、前記決定部は、前記第１の比と前記第３の比との差が、前記第２の比と前記第３の比との差よりも小さい場合、前記第１画像と前記第２画像とを横方向に並べて表示することを決定し、前記第２の比と前記第３の比との差が、前記第１の比と前記第３の比との差よりも小さい場合、前記第１画像と前記第２画像とを縦方向に並べて表示することを決定することが望ましい。
この態様によれば、第１の比と第３の比との差が、第２の比と第３の比との差よりも小さい場合、つまり、横並び画像が収まる矩形の画像の形状が、縦並び画像が収まる矩形の画像の形状よりも表示画像の形状に近い場合、第１画像と第２画像とを横方向に並べて表示することを決定でき、第２の比と第３の比との差が、第１の比と第３の比との差よりも小さい場合、つまり、縦並び画像が収まる矩形の画像の形状が、横並び画像が収まる矩形の画像の形状よりも表示画像の形状に近い場合、第１画像と第２画像とを縦方向に並べて表示することを決定できる。ここで、表示画像に形状が近い画像ほど、表示画像に収まる範囲で該画像の大きさを最大にした場合に未表示領域を少なくできる。よって、表示領域の有効活用を図ることが可能になる。
【００１１】
上述した表示制御装置の一態様において、前記表示画像が横長であることが望ましい。
この態様によれば、表示画像が横長である場合でも、第１画像および第２画像のそれぞれの形状および大きさに応じて、第１画像と第２画像とを縦方向に並べるか横方向に並べるかを決定できる。
【００１２】
上述した表示制御装置の一態様において、前記第１画像は横長であり、前記第２画像は縦長であることが望ましい。
この態様によれば、第１画像が横長であり第２画像が縦長であっても、第１画像および第２画像のそれぞれの形状および大きさに応じて、第１画像と第２画像とを縦方向に並べるか横方向に並べるかを決定できる。
【００１３】
本発明の表示装置の一態様は、上記表示制御装置を含む。
この態様によれば、上記表示制御装置を含むので表示画像の有効利用を図ることが可能となる。
【００１４】
本発明の表示領域設定方法の一態様は、表示制御装置が行う表示制御方法であって、第１画像を示す第１画像データと、第２画像を示す第２画像データと、を受信し、前記第１画像の縦画素数および横画素数と、前記第２画像の縦画素数および横画素数と、に基づいて、所定の大きさの表示画像内で前記第１画像と前記第２画像とを横方向に並べて表示するか縦方向に並べて表示するかを決定することを特徴とする。
本態様によれば、第１画像の形状および大きさと第２画像の形状および大きさとに基づいて、表示画像内での第１画像と第２画像との並び方向を縦方向と横方向との間で変更可能になるので、表示画像に第１画像と第２画像とを横方向に並べた場合の方が縦方向に並べた場合よりも未表示領域を小さくできる場合には、横方向に並べることを決定し、縦方向に並べた場合の方が横方向に並べた場合よりも未表示領域を小さくできる場合には、縦方向に並べることを決定できる。したがって、第１画像および第２画像の形状および大きさに関わらず第１画像と第２画像の並び方向が変わらない場合に比べて、表示画像の有効利用を図ることが可能となる。
【図面の簡単な説明】
【００１５】
【図１】本発明の第１実施形態に係るプロジェクター１１を示すブロック図である。
【図２】投射部３０の一例を示した図である。
【図３】基準画像SC-aの一例を示した図である。
【図４】第１画像MO1の一例を示した図である。
【図５】第２画像MO2の一例を示した図である。
【図６】表示画像SC-bの生成動作を説明するためのフローチャートである。
【図７】表示画像SC-bの一例を示した図である。
【図８】表示画像SC-bの他の例を示した図である。
【図９】表示画像SC-bのさらに他の例を示した図である。
【図１０】表示画像SC-bのさらに他の例を示した図である。
【図１１】図７に示した表示画像SC-bを変形した例である。
【図１２】図１０に示した表示画像SC-bを変形した例である。
【発明を実施するための形態】
【００１６】
＜第１実施形態＞
図１は、本発明を適用した表示装置の第１実施形態であるプロジェクター１１を示すブロック図である。
＜プロジェクター１１の概要＞
まず、プロジェクター１１の概要について説明する。
プロジェクター１１は、複数のＰＣ（パーソナルコンピューター）１２（図１では、ＰＣ１２ａおよび１２ｂ）と、通信ネットワーク１３を介して接続されている。
【００１７】
ＰＣ１２ａは、第１画像MO1を示す第１画像データをプロジェクター１１に出力する。ＰＣ１２ｂは、第２画像MO2を示す第２画像データをプロジェクター１１に出力する。第１画像データは、第１画像MO1の縦画素数MO1-PHおよび横画素数MO1-PWを示すパラメーターを有しており、第２画像データは、第２画像MO2の縦画素数MO2-PHおよび横画素数MO2-PWを示すパラメーターを有している。
【００１８】
通信ネットワーク１３は、有線や無線通信回線により構成されるＬＡＮ（Local Area Network）等の双方向通信可能なネットワークである。通信ネットワーク１３は、ＰＣ１２ａとＰＣ１２ｂとプロジェクター１１とを相互に通信可能に接続する。
【００１９】
プロジェクター１１は、ＰＣ１２ａから出力された第１画像データと、ＰＣ１２ｂから出力された第２画像データと、を受信する。
プロジェクター１１は、例えば、第１画像データが示す第１画像MO1と第２画像データが示す第２画像MO2とを同時に表す表示画像（以下、単に「表示画像」とも称する）SC-bを投射面ＳＣに投射する。
【００２０】
＜プロジェクター１１の詳細＞
次に、プロジェクター１１の詳細について説明する。
プロジェクター１１は、光学的な画像の形成を行う投射部３０と、入力された画像データに応じて投射部３０を駆動する表示制御装置１００と、を備えている。
【００２１】
＜投射部３０＞
投射部３０は、照明光学系３１と、照明光学系３１が発した光を変調する光変調装置３２と、投射光学系３３と、を含む。投射部３０は、表示部として機能する。図２は、投射部３０の一例を示した図である。
【００２２】
照明光学系３１は、キセノンランプ、超高圧水銀ランプ、ＬＥＤ（Light Emitting Diode）等からなる光源３１ａを備えている。また、照明光学系３１は、光源３１ａが発した光を光変調装置３２に導くリフレクター３１ｂおよび補助リフレクター（不図示）を備えている。
【００２３】
図１に示した光変調装置３２は、例えば透過型液晶パネルを備えて構成される。光変調装置３２は、この液晶パネルを表示制御装置１００からの表示用駆動信号を用いて駆動することで、照明光学系３１から出力された光を変調して画像を形成する。
光変調装置３２は、カラーの投影を行うため、図２に示すように、ＲＧＢの三原色に対応した３枚の液晶パネル３２Ｒ、３２Ｇおよび３２Ｂを備えている。光源３１ａが発した光は、分離光学系４０によって、ＲＧＢの３色の色光に分離される。
分離光学系４０は、ダイクロイックミラー４０ａおよび４０ｂと、ミラー４０ｃ、４０ｄおよび４０ｅと、を備えている。ダイクロイックミラー４０ａは、光源３１ａが発した光のうち赤色光を反射し他の色光を透過する。ダイクロイックミラー４０ｂは、ダイクロイックミラー４０ａが透過した光のうち緑色光を液晶パネル３２Ｇに向けて反射し他の色光（この場合、青色光）を透過する。ミラー４０ｃは、ダイクロイックミラー４０ａが反射した赤色光を液晶パネル３２Ｒへ向けて反射する。ミラー４０ｄは、ダイクロイックミラー４０ｂが透過した青色光を反射する。ミラー４０ｅは、ミラー４０ｄが反射した青色光を液晶パネル３２Ｂに向けて反射する。
３色の色光は、それぞれ、液晶パネル３２Ｒ、３２Ｇ、３２Ｂを通過する際に変調される。変調された各色光は、クロスダイクロイックプリズム等の合成光学系３４によって合成され、投射光学系３３に射出される。
【００２４】
投射光学系３３は、投射される画像の拡大・縮小および焦点の調整を行うズームレンズ、ズームレンズを駆動してズームの度合いを調整するズーム調整用モーター（不図示）およびフォーカスの調整を行うフォーカス調整用モーター（不図示）等を備えている。投射光学系３３は、光変調装置３２で変調された光を、ズームレンズを用いて投射面ＳＣ上に投射して結像させる。
【００２５】
図１に示したように、投射部３０には、制御部１０７の制御に従って投射光学系３３が備える各モーターを駆動する投射光学系駆動部１１１、および、制御部１０７の制御に従って照明光学系３１が備える光源３１ａを駆動する光源駆動部１１２が接続されている。
【００２６】
＜表示制御装置１００＞
表示制御装置１００は、リモコン受光部１０１と、操作パネル１０２と、入力処理部１０３と、通信部１０４と、バッファー部１０５と、記憶部１０６と、制御部１０７と、表示制御部１０８と、フレームメモリー１０９と、光変調装置駆動部１１０と、上述した投射光学系駆動部１１１と、上述した光源駆動部１１２と、ユーザーが使用するリモコン（不図示）を有する。
【００２７】
リモコンは、２つの画像を１つの画像内で同時に表示することを指示する同時表示指示ボタンや、他の種々のボタンを備えている。リモコンは、これらのボタンへの操作に応じて赤外線信号を送信する。
リモコン受光部１０１は、リモコンが発する赤外線信号を受光する。リモコン受光部１０１は、リモコンから受光した赤外線信号をデコードして、リモコンでの操作内容を示す操作信号を生成する。リモコン受光部１０１は、その操作信号を、入力処理部１０３に出力する。
操作パネル１０２は、ユーザーが操作を行うための各種スイッチを備えている。操作パネル１０２も、リモコンと同様に同時表示指示ボタンを備えている。操作パネル１０２は、入力処理部１０３に接続されている。
入力処理部１０３は、リモコン受光部１０１または操作パネル１０２を介して、ユーザーの操作を検出する。入力処理部１０３は、リモコン受光部１０１から受信した操作信号を、制御部１０７に出力する。また、入力処理部１０３は、操作パネル１０２のスイッチが操作された場合、操作されたスイッチに対応する操作信号を制御部１０７に出力する。
【００２８】
通信部１０４は、ＰＣ１２ａやＰＣ１２ｂと通信する。例えば、通信部１０４は、ＰＣ１２ａから出力された第１画像データと、ＰＣ１２ｂから出力された第２画像データと、を受信する。通信部１０４は、受信部の一例である。通信部１０４は、第１画像データと第２画像データを制御部１０７に出力する。また通信部１０４は、第１画像データと第２画像データを表示制御部１０８に出力する。
【００２９】
バッファー部１０５は、ＰＣ１２ａやＰＣ１２ｂから入力された画像データ（第１画像データおよび第２画像データ）を一時的に格納する。バッファー部１０５には、第１画像データと第２画像データとを送信元別に格納するための複数の画像バッファー１０５Ａが設けられている。本実施形態では、ＰＣ１２ａに対応する画像バッファー１０５Ａ−ａと、ＰＣ１２ｂに対応する画像バッファー１０５Ａ−ｂが設けられている。なお、画像バッファー１０５Ａは、バッファー部１０５における一つの記憶領域を仮想的に分割したものであってもよい。画像バッファー１０５Ａの数は任意であるが、表示画像SC-bに含まれる画像の数（本実施形態では、第１画像MO1と第２画像MO2との２個）以上の画像バッファー１０５Ａが設けられることが好ましい。
【００３０】
記憶部１０６は、制御部１０７が処理するデータや制御部１０７が実行する制御プログラム１０６Ａを記憶する。
制御部１０７は、制御プログラム１０６Ａを読み出して実行することにより、プロジェクター１１の各部を制御する。
制御部１０７は、入力処理部１０３から入力される操作信号に基づいて、ユーザーが行った操作の内容を検出する。制御部１０７は、この操作に応じて表示制御部１０８、投射光学系駆動部１１１および光源駆動部１１２を制御する。
例えば、制御部１０７は、同時表示指示ボタンの操作に応じて、表示制御部１０８、投射光学系駆動部１１１および光源駆動部１１２を制御することによって、表示画像（第１画像MO1と第２画像MO2とが並べられている画像）SC-bを投射面ＳＣに投射する動作を制御する。
また、制御部１０７は、通信部１０４を介して、画像データ（第１画像データおよび第２画像データ）を受信する。制御部１０７は、その画像データに付加されている送信元のＩＤまたはネットワークアドレス等に基づいて、画像データの送信元を特定する。例えば、制御部１０７は、第１画像データの送信元を、第１画像データに付加されている送信元のＩＤまたはネットワークアドレス等に基づいて特定する。
また、制御部１０７は、表示制御部１０８を制御して、通信部１０４の受信した画像データを、送信元（例えば、ＰＣ１２ａまたはＰＣ１２ｂ）に対応する画像バッファー１０５Ａに格納する動作を表示制御部１０８に実行させる。
また、制御部１０７は、表示制御部１０８を制御して、画像バッファー１０５Ａ内の画像データ（第１画像データと第２画像データ）に基づいて、所定の大きさの表示画像SC-bを示す表示画像データを生成する動作を表示制御部１０８に実行させる。表示制御部１０８は、表示画像データを光変調装置駆動部１１０に出力する。
【００３１】
表示制御部１０８は、通信部１０４の受信した画像データをその送信元に対応する画像バッファー１０５Ａに格納する。また、表示制御部１０８は、通信部１０４が受信した画像データ（第１画像データおよび第２画像データ）を、フレームメモリー１０９を使って処理して、表示画像SC-bを示す表示画像データを生成する。なお、フレームメモリー１０９は、フレーム単位で表示画像SC-bを一時的に格納する。
【００３２】
表示制御部１０８は、決定部１０８Ａと生成部１０８Ｂとを備えている。
決定部１０８Ａは、第１画像MO1の縦画素数MO1-PHおよび横画素数MO1-PWと、第２画像MO2の縦画素数MO2-PHおよび横画素数MO2-PWと、に基づいて、表示画像SC-b内で、第１画像MO1と第２画像MO2とを横方向に並べて表示するか縦方向に並べて表示するかを決定する。なお、決定部１０８Ａは、第１画像MO1の縦画素数MO1-PHおよび横画素数MO1-PWを第１画像データから取得し、第２画像MO2の縦画素数MO2-PHおよび横画素数MO2-PWを第２画像データから取得する。決定部１０８Ａが行う決定手法の一例については後述する。
生成部１０８Ｂは、決定部１０８Ａの決定結果に基づいて、表示画像SC-bを示す表示画像データを生成する。例えば、生成部１０８Ｂは、決定部１０８Ａが第１画像MO1と第２画像MO2とを横方向に並べて表示することを決定した場合には、表示画像SC-b内で第１画像MO1と第２画像MO2とが横方向に並んだ状態を示す表示画像データを生成する。一方、決定部１０８Ａが第１画像MO1と第２画像MO2とを縦方向に並べて表示することを決定した場合には、生成部１０８Ｂは、表示画像SC-b内で第１画像MO1と第２画像MO2とが縦方向に並んだ状態を示す表示画像データを生成する。生成部１０８Ｂは、表示画像データを光変調装置駆動部１１０に出力する。
【００３３】
光変調装置駆動部１１０は、生成部１０８Ｂから入力された表示画像データに基づいて表示用駆動信号を生成し、表示用駆動信号を用いて光変調装置３２を駆動する。これにより、第１画像MO1と第２画像MO2とが横方向または縦方向に並んでいる表示画像SC-bが光変調装置３２に描画され、この表示画像SC-bが、投射光学系３３を介して投射面ＳＣ上に表示される。
【００３４】
＜動作の説明＞
次に、表示画像SC-bの生成動作について説明する。
以下の説明では、既に、ＰＣ１２ａに対応する画像バッファー１０５Ａ−ａに第１画像データが格納されており、ＰＣ１２ｂに対応する画像バッファー１０５Ａ−ｂに第２画像データが格納されているとする。
また、表示画像SC-bを生成するために、表示画像SC-bと形状および大きさが等しい基準画像SC-aが用いられる。基準画像SC-aとしては、例えば、表示画像SC-bを単色の画像に変換したものが用いられる。
また、説明の簡略化を図るため、基準画像SC-a、第１画像MO1および第２画像MO2の各々の縦画素数および横画素数を以下の通りとする。
基準画像SC-aの横画素数SC-a-PWおよび縦画素数SC-a-PHは、それぞれ、図３に示したように「１９２０画素」、「１２００画素」である。なお、図３に示した「ｐ」は「画素数」を表すものである。
第１画像MO1の横画素数MO1-PWおよび縦画素数MO1-PHは、それぞれ、図４に示したように「６４０画素」、「４８０画素」である。なお、図４に示した「ｐ」も「画素数」を表すものである。
第２画像MO2の横画素数MO2-PWおよび縦画素数MO2-PHは、それぞれ、図５に示したように「１００画素」、「２５０画素」である。なお、図５に示した「ｐ」も「画素数」を表すものである。
基準画像SC-a、第１画像MO1、第２画像MO2の大きさは、それぞれ、横画素数および縦画素数にて規定される。ここで、基準画像SC-aの大きさ、つまり、表示画像SC-bの大きさを示す横画素数SC-a-PW「１９２０画素」および縦画素数SC-a-PH「１２００画素」は、表示画像SC-bの所定の大きさの一例である。なお、基準画像SC-a、第１画像MO1、第２画像MO2の各々の横画素数および縦画素数は適宜変更可能である。
【００３５】
図６は、表示画像SC-bの生成動作を説明するためのフローチャートである。
制御部１０７は、入力処理部１０３から同時表示指示ボタンの操作に応じた操作信号を受け付けると、表示制御部１０８に、表示画像SC-bの生成指示を出力する。
表示制御部１０８が表示画像SC-bの生成指示を受信すると、決定部１０８Ａは、画像バッファー１０５Ａ−ａから第１画像MO1を読み取り、画像バッファー１０５Ａ−ｂから第２画像MO2を読み取る（ステップＳ６０１）。
【００３６】
続いて、決定部１０８Ａは、第１画像MO1の横の長さおよび縦の長さと、第２画像MO2の横の長さおよび縦の長さと、について正規化を行う（ステップＳ６０２）。
ステップＳ６０２では、決定部１０８Ａは以下のように動作する。
まず、決定部１０８Ａは、縦画素数MO1-PHと横画素数MO1-PWと縦画素数MO2-PHと横画素数MO2-PWのうち、最も数値の小さい画素数を基準Ｂとして決定する。なお、決定部１０８Ａは、縦画素数MO1-PHと横画素数MO1-PWとを第１画像データから読み取り、縦画素数MO2-PHと横画素数MO2-PWを第２画像データから読み取る。
図４および図５に示した例では、決定部１０８Ａは、基準Ｂとして、横画素数MO2-PW（＝１００画素）を決定する。
続いて、決定部１０８Ａは、縦画素数MO1-PHと横画素数MO1-PWと縦画素数MO2-PHと横画素数MO2-PWの各々を基準Ｂで除算することで、第１画像MO1の縦の長さおよび横の長さと、第２画像MO2の縦の長さおよび横の長さと、について正規化を行う。
図４および図５に示した例では、
第１画像MO1の縦の長さ＝（４８０）／（１００）＝４．８、
第１画像MO1の横の長さ＝（６４０）／（１００）＝６．４、
第２画像MO2の縦の長さ＝（２５０）／（１００）＝２．５、
第２画像MO2の横の長さ＝（１００）／（１００）＝１、０
となる。
以上で、ステップＳ６０２が完了する。
【００３７】
続いて、決定部１０８Ａは、第１画像MO1と第２画像MO2とを横に並べた横並び画像における最大縦画素数と最大横画素数との比（以下「第１の比」と称する）と、第１画像MO1と第２画像MO2とを縦に並べた縦並び画像における最大縦画素数と最大横画素数との比（以下「第２の比」と称する）と、を算出する（ステップＳ６０３）。
ステップＳ６０３では、決定部１０８Ａは以下のように動作する。
まず、決定部１０８Ａは、ステップＳ６０２で正規化した値を用いて、横並び画像の最大の縦の長さおよび最大の横の長さと、縦並び画像の最大の縦の長さおよび最大の横の長さと、を算出する。
決定部１０８Ａは、横並び画像については、第１画像MO1の縦の長さと第２画像MO2の縦の長さのうち長い方を最大の縦の長さとして決定し、第１画像MO1の横の長さと第２画像MO2の横の長さとを加算した長さを、最大の横の長さとして決定する。
また、決定部１０８Ａは、縦並び画像については、第１画像MO1の縦の長さと第２画像MO2の縦の長さとを加算した長さを、最大の縦の長さとして決定し、第１画像MO1の横の長さと第２画像MO2の横の長さのうち長い方を最大の横の長さとして決定する。
続いて、決定部１０８Ａは、第１の比と第２の比とを算出する。なお、横並び画像における最大縦画素数と最大横画素数との比である第１の比は、（横並び画像の最大の縦の長さ）／（横並び画像の最大の横の長さ）で表され、縦並び画像における最大縦画素数と最大横画素数との比である第２の比は、（縦並び画像の最大の縦の長さ）／（縦並び画像の最大の横の長さ）で表される。
【００３８】
ステップＳ６０３を図４および図５に示した例で説明すると以下のようになる。
＜横並び画像の最大の縦の長さ＞
第１画像MO1の縦の長さ（＝４．８）が第２画像MO2の縦の長さ（＝２．５）よりも長いので、横並び画像の最大の縦の長さは、第１画像MO1の縦の長さ（＝４．８）となる。
＜横並び画像の最大の横の長さ＞
横並び画像の最大の横の長さは、第１画像MO1の横の長さ（＝６．４）と第２画像MO2の横の長さ（＝１）とを加算した長さ（＝７．４）となる。
＜縦並び画像の最大の縦の長さ＞
縦並び画像の最大の縦の長さは、第１画像MO1の縦の長さ（＝４．８）と第２画像MO2の縦の長さ（＝２．５）とを加算した長さ（＝７．３）となる。
＜縦並び画像の最大の横の長さ＞
第１画像MO1の横の長さ（＝６．４）が第２画像MO2の横の長さ（＝１）よりも長いので、縦並び画像の最大の横の長さは、第１画像MO1の横の長さ（＝６．４）となる。
＜第１の比＞
第１の比は、（横並び画像の最大の縦の長さ＝４．８）／（横並び画像の最大の横の長さ＝７．４）＝０．６４８６４８６４８６４８６４９となる。
＜第２の比＞
第２の比は、（縦並び画像の最大の縦の長さ＝７．３）／（縦並び画像の最大の横の長さ＝６．４）＝１．１４０６２５となる。
以上で、ステップＳ６０３が完了する。
【００３９】
続いて、決定部１０８Ａは、表示画像SC-bで、第１画像MO1と第２画像MO2とを横方向に並べて表示するか縦方向に並べて表示するかを決定する（ステップＳ６０４）。
ステップＳ６０４では、決定部１０８Ａは以下のように動作する。
まず、決定部１０８Ａは、基準画像SC-aにおける縦画素数SC-a-PHと横画素数SC-a-PWとの比（以下「第３の比」と称する）を算出する。なお、第３の比は、（縦画素数SC-a-PH）／（横画素数SC-a-PW）で表され、表示画像SC-bにおける縦画素数と横画素数との比と同値である。
続いて、決定部１０８Ａは、第１の比と第２の比と第３の比とに基づいて、表示画像SC-bにおいて、第１画像MO1と第２画像MO2とを横方向に並べて表示するか縦方向に並べて表示するかを決定する。
本実施形態では、決定部１０８Ａは、第１の比と第３の比との差が、第２の比と第３の比との差よりも小さい場合、第１画像MO1と第２画像MO2とを横方向に並べて表示することを決定し、第２の比と第３の比との差が、第１の比と第３の比との差よりも小さい場合、第１画像MO1と第２画像MO2とを縦方向に並べて表示することを決定する。
例えば、第３の比から第１の比を差し引いた値の絶対値Ｔ１が、第３の比から第２の比を差し引いた値の絶対値Ｔ２よりも小さい場合、決定部１０８Ａは、第１画像MO1と第２画像MO2とを横方向に並べて表示することを決定する。
一方、絶対値Ｔ２が絶対値Ｔ１よりも小さい場合、決定部１０８Ａは、第１画像MO1と第２画像MO2とを縦方向に並べて表示することを決定する。
ここで、絶対値Ｔ１が絶対値Ｔ２と等しい場合、決定部１０８Ａは、第１画像MO1と第２画像MO2とを横方向に並べて表示することを決定する。なお、絶対値Ｔ１が絶対値Ｔ２と等しい場合、決定部１０８Ａは、第１画像MO1と第２画像MO2とを横方向ではなく縦方向に並べて表示することを決定してもよい。
続いて、決定部１０８Ａは、決定の結果を生成部１０８Ｂに出力する。
【００４０】
ステップＳ６０４を図３〜図５に示した例で説明すると以下のようになる。
＜第３の比＞
第３の比は、（縦画素数SC-a-PH＝１２００）／（横画素数SC-a-PW＝１９２０）＝０．６２５となる。
＜絶対値Ｔ１＞
絶対値Ｔ１は、｜（第３の比＝０．６２５）−（第１の比＝０．６４８６４８６４８６４８６４９）｜＝０．０２３６４８６４８６４８６４９となる。
＜絶対値Ｔ２＞
絶対値Ｔ２は、｜（第３の比＝０．６２５）−（第２の比＝１．１４０６２５）｜＝０．５１５６２５となる。
＜絶対値Ｔ１と絶対値Ｔ２との比較＞
絶対値Ｔ１が絶対値Ｔ２よりも小さいので、図３〜図５に示した例では、決定部１０８Ａは、第１画像MO1と第２画像MO2とを横方向に並べて表示することを決定する。決定部１０８Ａは、この決定の結果を、生成部１０８Ｂに出力する。
以上で、ステップＳ６０４が完了する。
【００４１】
生成部１０８Ｂは、決定部１０８Ａの決定の結果を受信すると、その決定の結果と、表示画像SC-bの大きさと、に基づいて、第１画像MO1と第２画像MO2との拡大率（スケーリング係数）を決定する（ステップＳ６０５）。
ここで、表示画像SC-bの大きさは、基準画像SC-aの大きさと同一であるので、以下の説明では、生成部１０８Ｂは、決定部１０８Ａの決定の結果と、基準画像SC-aの大きさ（縦画素数SC-a-PHと横画素数SC-a-PW）と、に基づいて、第１画像MO1と第２画像MO2との拡大率を決定することとする。
拡大率は、１以上の値か、０より大きく１未満の値か、のいずれかとなる。ここで、拡大率が１より大きい場合、拡大率は拡大を示し、拡大率が１である場合、拡大率は現状維持を示し、拡大率が０より大きく１未満の場合、拡大率は縮小を示す。
ステップＳ６０５では、生成部１０８Ｂは以下のように動作する。
【００４２】
＜決定部１０８Ａの決定結果が「横並び」を示し第１の比が第３の比より大きい場合＞
この場合、生成部１０８Ｂは、第１画像MO1と第２画像MO2との拡大率として、（基準画像SC-aの縦画素数SC-a-PH）／（横並び画像の最大縦画素数）を算出する。
ここで、決定部１０８Ａの決定結果が「横並び」を示し第１の比が第３の比より大きいことは、横並び画像の最大縦画素数を縦画素数とし横並び画像の最大横画素数を横画素数とする「横並び対応画像」が、表示画像SC-b（基準画像SC-a）よりも「縦長」であることを意味する。このため、生成部１０８Ｂは、拡大率に応じた大きさの調整がなされた横並び画像の縦方向の長さが表示画像SC-bの縦方向の長さに一致するように、縦方向の画素数を基準に、第１画像MO1と第２画像MO2との拡大率を算出する。
【００４３】
＜決定部１０８Ａの決定結果が「横並び」を示し第１の比が第３の比より小さい場合＞
この場合、生成部１０８Ｂは、第１画像MO1と第２画像MO2との拡大率として、（基準画像SC-aの横画素数SC-a-PW）／（横並び画像の最大横画素数）を算出する。
ここで、決定部１０８Ａの決定結果が「横並び」を示し第１の比が第３の比より小さいことは、「横並び対応画像」が表示画像SC-b（基準画像SC-a）よりも「横長」であることを意味する。このため、生成部１０８Ｂは、拡大率に応じた大きさの調整がなされた横並び画像の横方向の長さが表示画像SC-bの横方向の長さに一致するように、横方向の画素数を基準に、第１画像MO1と第２画像MO2との拡大率を算出する。
【００４４】
＜決定部１０８Ａの決定結果が「横並び」を示し第１の比が第３の比と等しい場合＞
この場合、生成部１０８Ｂは、決定部１０８Ａの決定結果が「横並び」を示し第１の比が第３の比より小さい場合と同様に拡大率を算出する。なお、この場合、生成部１０８Ｂは、決定部１０８Ａの決定結果が「横並び」を示し第１の比が第３の比より大きい場合と同様に拡大率を算出してもよい。
【００４５】
＜決定部１０８Ａの決定結果が「縦並び」を示し第２の比が第３の比より大きい場合＞
この場合、生成部１０８Ｂは、第１画像MO1と第２画像MO2との拡大率として、（基準画像SC-aの縦画素数SC-a-PH）／（縦並び画像の最大縦画素数）を算出する。
ここで、決定部１０８Ａの決定結果が「縦並び」を示し第２の比が第３の比より大きいことは、縦並び画像の最大縦画素数を縦画素数とし縦並び画像の最大横画素数を横画素数とする「縦並び対応画像」が、表示画像SC-b（基準画像SC-a）よりも「縦長」であることを意味する。このため、生成部１０８Ｂは、拡大率に応じた大きさの調整がなされた縦並び画像の縦方向の長さが表示画像SC-bの縦方向の長さに一致するように、縦方向の画素数を基準に拡大率を算出する。
【００４６】
＜決定部１０８Ａの決定結果が「縦並び」を示し第２の比が第３の比より小さい場合＞
この場合、生成部１０８Ｂは、第１画像MO1と第２画像MO2との拡大率として、（基準画像SC-aの横画素数SC-a-PH）／（縦並び画像の最大横画素数）を算出する。
ここで、決定部１０８Ａの決定結果が「縦並び」を示し第２の比が第３の比より小さいことは、「縦並び対応画像」が表示画像SC-b（基準画像SC-a）よりも「横長」であることを意味する。このため、生成部１０８Ｂは、拡大率に応じた大きさの調整がなされた縦並び画像の横方向の長さが表示画像SC-bの横方向の長さに一致するように、横方向の画素数を基準に拡大率を算出する。
【００４７】
＜決定部１０８Ａの決定結果が「縦並び」を示し第２の比が第３の比と等しい場合＞
この場合、生成部１０８Ｂは、決定部１０８Ａの決定結果が「縦並び」を示し第２の比が第３の比より小さい場合と同様に拡大率を算出する。なお、この場合、生成部１０８Ｂは、決定部１０８Ａの決定結果が「縦並び」を示し第２の比が第３の比より大きい場合と同様に拡大率を算出してもよい。
【００４８】
ステップＳ６０５を図３〜図５に示した例で説明すると以下のようになる。
決定部１０８Ａの決定結果が「横並び」を示し第１の比が第３の比より大きいので、生成部１０８Ｂは、第１画像MO1と第２画像MO2との拡大率として、（基準画像SC-aの縦画素数SC-a-PH＝１２００画素）／（横並び画像の最大縦画素数＝４８０画素）＝２．５を算出する。
以上で、ステップＳ６０５が完了する。
【００４９】
続いて、生成部１０８Ｂは、フレームメモリー１０９を用いて、ステップＳ６０５で決定した拡大率で大きさを調整した第１画像MO1および第２画像MO2を、ステップＳ６０４で決定した並びで、基準画像SC-aに収まるように配置して、表示画像SC-bを生成する（ステップＳ６０６）。
図７は、決定部１０８Ａの決定結果が「横並び」を示し第１の比が第３の比より大きい場合の表示画像SC-bの一例を示した図である。この場合、図７に示すように、拡大率に応じた大きさの調整がなされた横並び画像の縦方向の長さが表示画像SC-bの縦方向の長さと一致する。
図８は、決定部１０８Ａの決定結果が「横並び」を示し第１の比が第３の比より小さい場合の表示画像SC-bの一例を示した図である。この場合、図８に示すように、拡大率に応じた大きさの調整がなされた横並び画像の横方向の長さが表示画像SC-bの横方向の長さと一致する。
図９は、決定部１０８Ａの決定結果が「縦並び」を示し第２の比が第３の比より大きい場合の表示画像SC-bの一例を示した図である。この場合、図９に示すように、拡大率に応じた大きさの調整がなされた縦並び画像の縦方向の長さが表示画像SC-bの縦方向の長さに一致する。
図１０は、決定部１０８Ａの決定結果が「縦並び」を示し第２の比が第３の比より小さい場合の表示画像SC-bの一例を示した図である。この場合、図１０に示したように、拡大率に応じた大きさの調整がなされた縦並び画像の横方向の長さが表示画像SC-bの横方向の長さに一致する。
なお、図３〜図５に示した例を元に生成した表示画像SC-bは、図７に示した表示画像SC-bとなる。
【００５０】
ここで、図８や図９に示したような表示画像SC-bは、生成部１０８Ｂが、第１画像MO1と第２画像MO2とを決定部１０８Ａの決定結果に従って並べることで形成される画像（横並び画像や縦並び画像）が表示画像SC-bの上下左右の外縁に接しつつ第１画像MO1と第２画像MO2とが接するように、第１画像MO1と第２画像MO2との両方を拡大（両方の大きさを変更）することによって、生成される。
図８や図９に示したような表示画像SC-bにおいては、第１画像MO1と第２画像MO2とを同じ拡大率で大きさを変更しつつ第１画像MO1と第２画像MO2とが互いに重ならずに表示画像SC-bに収まるという条件下では、第１画像MO1と第２画像MO2とをこれ以上拡大できない。つまり、未表示領域をこれ以上小さくできない。よって、未表示領域が小さくなっており、表示画像SC-bの有効利用を図ることができる。
【００５１】
続いて、生成部１０８Ｂは、表示画像SC-bを表す表示画像データを光変調装置駆動部１１０に出力する。光変調装置駆動部１１０は、生成部１０８Ｂから入力された表示画像データに基づいて、光変調装置３２を駆動する。これにより、第１画像MO1と第２画像MO2が横方向または縦方向に並んでいる表示画像SC-bが光変調装置３２に描画され、この表示画像SC-bが、投射光学系３３を介して投射面ＳＣ上に投射される。
【００５２】
本実施形態によれば、決定部１０８Ａは、第１画像MO1の縦画素数MO1-PHおよび横画素数MO1-PWと、第２画像MO2の縦画素数MO2-PHおよび横画素数MO2-PWと、に基づいて、表示画像SC-b内で、第１画像MO1と第２画像MO2とを横方向に並べて表示するか縦方向に並べて表示するかを決定する。
第１画像MO1の形状および大きさは第１画像MO1の縦画素数MO1-PHおよび横画素数MO1-PWにて特定され、第２画像MO2の形状および大きさは第２画像MO2の縦画素数MO2-PHおよび横画素数MO2-PWにて特定される。このため、第１画像MO1の形状および大きさと第２画像MO2の形状および大きさとに基づいて、表示画像SC-b内での第１画像MO1と第２画像MO2との並び方向を縦方向と横方向との間で変更可能になる。よって、例えば、表示画像SC-bに第１画像MO1と第２画像MO2とを横方向に並べた場合の方が縦方向に並べた場合よりも未表示領域を小さくできる場合には、横方向に並べることを決定し、縦方向に並べた場合の方が横方向に並べた場合よりも未表示領域を小さくできる場合には、縦方向に並べることを決定できる。したがって、第１画像MO1および第２画像MO2の形状および大きさに関わらず第１画像MO1と第２画像MO2の並び方向が変わらない場合に比べて、表示画像SC-bの有効利用を図ることが可能となる。
【００５３】
また、決定部１０８Ａは、第１の比と第２の比と第３の比とに基づいて、表示画像SC-bにおいて、第１画像MO1と第２画像MO2とを横方向に並べて表示するか縦方向に並べて表示するかを決定する。
第１の比は、横並び画像が収まる矩形の画像である横並び対応画像の形状を示し、第２の比は、縦並び画像が収まる矩形の画像である縦並び対応画像の形状を示し、第３の比は表示画像SC-bの形状を示す。このため、横並び対応画像の形状と、縦並び対応画像の形状と、表示画像SC-bの形状と、に基づいて、第１画像MO1と第２画像MO2とを横方向に並べて表示するか縦方向に並べて表示するかを決定可能になる。
【００５４】
また、決定部１０８Ａは、第１の比と第３の比との差が、第２の比と第３の比との差よりも小さい場合、第１画像MO1と第２画像MO2とを横方向に並べて表示することを決定し、第２の比と第３の比との差が、第１の比と第３の比との差よりも小さい場合、第１画像MO1と第２画像MO2とを縦方向に並べて表示することを決定する。
このため、第１の比と第３の比との差が、第２の比と第３の比との差よりも小さい場合、つまり、横並び対応画像の形状が、縦並び対応画像の形状よりも表示画像SC-bの形状に近い場合、第１画像MO1と第２画像MO2とを横方向に並べて表示することを決定でき、第２の比と第３の比との差が、第１の比と第３の比との差よりも小さい場合、つまり、縦並び対応画像の形状が、横並び対応画像の形状よりも表示画像SC-bの形状に近い場合、第１画像MO1と第２画像MO2とを縦方向に並べて表示することを決定できる。表示画像SC-bと形状が近い画像ほど、表示画像SC-bに収まる範囲で該画像の大きさを最大にした場合に未表示領域を少なくできる。よって、この場合、表示領域の有効活用を図ることが可能になる。
【００５５】
本実施形態によれば、表示画像SC-bが横長である場合でも、第１画像MO1および第２画像MO2のそれぞれの形状および大きさに応じて、第１画像MO1と第２画像MO2とを縦方向に並べるか横方向に並べるかを決定できる。
【００５６】
また、本実施形態によれば、第１画像MO1が横長であり第２画像MO2が縦長であっても、第１画像MO1および第２画像MO2のそれぞれの形状および大きさに応じて、第１画像MO1と第２画像MO2とを縦方向に並べるか横方向に並べるかを決定できる。
【００５７】
＜変形例＞
上記実施形態は多様に変形され得る。具体的な変形の態様を以下に例示する。以下の例示から任意に選択された２以上の態様は相矛盾しない限り適宜に併合され得る。
【００５８】
＜変形例１＞
決定結果が「横並び」を示し第１の比が第３の比より大きい場合（図７参照）には、生成部１０８Ｂは、第１画像MO1と第２画像MO2のうち縦方向の長さが短い方の画像を、第１画像MO1と第２画像MO2とが互いに重ならずに表示画像SC-bに収まるという条件下で、拡大してもよい。
例えば、図７に示した表示画像SC-bにおいて第１画像MO1と第２画像MO2との拡大率が「１」であった場合に、生成部１０８Ｂは、第１画像MO1と第２画像MO2とを横に並べた横並び画像が表示画像SC-bの上下左右の外縁に接しつつ第１画像MO1と第２画像MO2が接するように、第２画像MO2（第１画像MO1と第２画像MO2のうち縦方向の長さが短い方の画像）のみを拡大（大きさを変更）する。図１１は、図７に示した表示画像SC-bにおいて、第２画像MO2を拡大した例である。この場合、さらに未表示領域を小さくできる。
【００５９】
＜変形例２＞
決定結果が「縦並び」を示し第２の比が第３の比より小さい場合（図１０参照）には、生成部１０８Ｂは、第１画像MO1と第２画像MO2のうち横方向の長さが短い方の画像を、第１画像MO1と第２画像MO2とが互いに重ならずに表示画像SC-bに収まるという条件下で、拡大してもよい。
例えば、図１０に示した表示画像SC-bにおいて第１画像MO1と第２画像MO2との拡大率が「１」であった場合に、生成部１０８Ｂは、第１画像MO1と第２画像MO2とを縦に並べた縦並び画像が表示画像SC-bの上下左右の外縁に接しつつ第１画像MO1と第２画像MO2が接するように、第２画像MO2（第１画像MO1と第２画像MO2のうち横方向の長さが短い方の画像）のみを拡大する。図１２は、図１０に示した表示画像SC-bにおいて、第２画像MO2を拡大した例である。この場合、さらに未表示領域を小さくできる。
【００６０】
なお、変形例１や変形例２では、生成部１０８Ｂは、第１画像MO1と第２画像MO2とを決定部１０８Ａの決定結果に従って並べた状態で、第１画像MO1と第２画像MO2とを並べたことによって形成される画像が表示画像SC-bの上下左右の外縁に接しつつ第１画像MO1と第２画像MO2とが接するように、第１画像MO1と第２画像MO2のいずれか一方を拡大（大きさを変更）する処理を行うことになる。
【００６１】
＜変形例３＞
上記実施形態では、第１画像MO1や第２画像MO2の縦画素数および横画素数として、第１画像データに示された縦画素数MO1-PHと横画素数MO1-PWと、第２画像データに示された縦画素数MO2-PHと横画素数MO2-PWがそのまま用いられた。
しかしながら、画像データに、さらに、画像に関する付加情報（例えば、画像データに示された縦画素数PHおよび横画素数PWにて特定される画像（以下「元画像」と称する）のうち有効となる画像を特定するための情報）が付加されている場合、決定部１０８Ａは、その画像の縦画素数PHおよび横画素数PWの代わりに、付加情報にて特定される有効な画像の縦画素数および横画素数を用いることが好ましい。
例えば、元画像の上下左右に黒帯が付加され、その黒帯で囲まれた領域内の画像が有効画像（例えば、第１画像MO1または第２画像MO2）となる場合、付加情報として、例えば、上下左右の黒帯の大きさを特定するための情報が用いられる。この場合、決定部１０８Ａは、その付加情報を用いて有効画像の縦画素数および横画素数を算出し、その算出結果を、その画像の縦画素数PHおよび横画素数PWの代わりに用いる。
また、例えば、付加情報としてアスペクト比の情報が用いられている場合、決定部１０８Ａは、元画像をそのアスペクト比に合うようにスケーリングし、そのスケーリング後の画像の縦画素数と横画素数とを、その画像の縦画素数PHおよび横画素数PWの代わりに用いてもよい。
【００６２】
＜変形例４＞
光変調装置３２は、３枚の透過型液晶パネルを用いた構成に限らない。光変調装置３２は、例えば３枚の反射型の液晶パネルを用いた構成であってもよい。また、光変調装置３２は、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等の構成であってもよい。光変調装置３２として１枚のみの液晶パネルまたはＤＭＤが用いられる場合には、分離光学系４０やクロスダイクロイックプリズム等の合成光学系３４に相当する部材は不要である。また、液晶パネルおよびＤＭＤ以外にも、光源が発した光を変調可能な構成は、光変調装置３２として採用できる。
【００６３】
＜変形例５＞
上記実施形態では、投射面ＳＣの正面に設置されたプロジェクター１１が、前方に画像を投射する構成を例に挙げて説明した。しかしながら、本発明はこれに限定されるものではなく、例えば、投射面ＳＣが透過型のスクリーンとして構成され、プロジェクター１１が投射面ＳＣの背面側から画像を投射する構成に本発明が適用されてもよい。
【００６４】
＜変形例６＞
本発明に係る表示装置は、投射面ＳＣに画像を投射するプロジェクターに限定されない。液晶表示パネルに画像を表示する液晶モニターまたは液晶テレビ、あるいは、ＰＤＰ（プラズマディスプレイパネル）に画像を表示するモニター装置またはテレビ受像機、ＯＬＥＤ（Organic Light-emitting-diode）、ＯＥＬ（Organic Electro-Luminescence）等と呼ばれる有機ＥＬ表示パネルに画像を表示するモニター装置またはテレビ受像機等の自発光型の表示装置など、各種の表示装置も、本発明の表示装置に含まれ、入力された画像信号に基づく画像をカラー表示することができる携帯型の表示装置も本発明の表示装置に含まれる。
【００６５】
＜変形例７＞
第１画像データや第２画像データの出力元は、ＰＣに限らず、例えば、ビデオ再生装置、ＤＶＤ（Digital Versatile Disk）再生装置、テレビチューナー装置、ビデオゲーム装置等の映像出力装置でもよい。
【００６６】
＜変形例８＞
図１に示した各部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態において各機能部がハードウェアで実現されてもよいし、そのハードウェアの機能の一部をソフトウェアで実現してもよい。その他、プロジェクター１１の具体的な細部構成について、本発明の趣旨を逸脱しない範囲で任意に変更可能である。
【符号の説明】
【００６７】
１１…プロジェクター、１００…表示制御装置、１０４…通信部、１０５…バッファー部、１０７…制御部、１０８…表示制御部、１０８Ａ…決定部、１０８Ｂ…生成部、１０９…フレームメモリー、１１０…光変調装置駆動部、１１１…投射光学系駆動部、１１２…光源駆動部、３０…投射部、３１…照明光学系、３２…光変調装置、３３…投射光学系、ＳＣ…投射面。
【図１】
2017151183.tif 000003
【図２】
2017151183.tif 000004
【図３】
2017151183.tif 000005
【図４】
2017151183.tif 000006
【図５】
2017151183.tif 000007
【図６】
2017151183.tif 000008
【図７】
2017151183.tif 000009
【図８】
2017151183.tif 000010
【図９】
2017151183.tif 000011
【図１０】
2017151183.tif 000012
【図１１】
2017151183.tif 000013
【図１２】
2017151183.tif 000014